(57)【特許請求の範囲】
【請求項１】
走行時の移動体の状態、走行時の時刻、走行時の天気のうちのいずれか１以上に対応する走行シーンを識別するためのシーン識別子と、当該移動体の走行シーンを判別するための条件であるシーン判別条件とを対応付けて有する２以上のシーン管理情報が格納されるシーン管理情報格納部と、
シーン識別子が対応付けられた１以上の楽曲データが格納される楽曲データ格納部と、
シーン識別子と、楽曲データの再生時の属性の変更内容を示す属性変更情報とを対応付けて有する１以上の属性変更管理情報が格納される属性変更管理情報格納部と、
前記楽曲データ格納部に格納されている１以上の楽曲データのうちのいずれかを取得する楽曲データ取得部と、
前記楽曲データ取得部が取得した楽曲データを再生する楽曲データ再生部と、
移動体の走行シーンを示すシーン情報であり、移動体の走行時の状態に関連する状態関連情報、移動体の走行時の時刻に関連する時刻関連情報、移動体の走行時の天気に関連する天気関連情報のうちの１以上の情報を有するシーン情報を取得するシーン情報取得部と、
前記シーン情報取得部が取得したシーン情報に対応する１以上のシーン識別子を、前記シーン管理情報格納部から取得するシーン識別子取得部と、
前記シーン識別子取得部が取得したシーン識別子に対応する属性変更情報を、前記属性変更管理情報格納部から取得する属性変更情報取得部とを具備し、
前記楽曲データ再生部は、
前記再生中の楽曲データの再生時の属性を、前記属性変更情報取得部が取得した属性変更情報に従い変更し、
前記シーン識別子取得部が取得したシーン識別子が２以上である場合、当該２以上のシーン識別子を提示し、当該提示された２以上のシーン識別子のうちの一のシーン識別子の選択を受け付け、
前記楽曲データ取得部は、
前記選択された一のシーン識別子に対応する楽曲データを取得する車載装置。
【請求項２】
走行時の移動体の状態、走行時の時刻、走行時の天気のうちのいずれか１以上に対応する走行シーンを識別するためのシーン識別子と、当該移動体の走行シーンを判別するための条件であるシーン判別条件とを対応付けて有する２以上のシーン管理情報が格納されるシーン管理情報格納部と、
１以上の楽曲データが格納される楽曲データ格納部と、
シーン識別子と、楽曲データの再生時の属性の変更内容を示す属性変更情報とを対応付けて有する１以上の属性変更管理情報が格納される属性変更管理情報格納部と、
前記楽曲データ格納部に格納されている１以上の楽曲データのうちのいずれかを取得する楽曲データ取得部と、
前記楽曲データ取得部が取得した楽曲データを再生する楽曲データ再生部と、
移動体の走行シーンを示すシーン情報であり、移動体の走行時の状態に関連する状態関連情報、移動体の走行時の時刻に関連する時刻関連情報、移動体の走行時の天気に関連する天気関連情報のうちの１以上の情報を有するシーン情報を取得するシーン情報取得部と、
前記シーン情報取得部が取得したシーン情報に対応する１以上のシーン識別子を、前記シーン管理情報格納部から取得するシーン識別子取得部と、
前記シーン識別子取得部が取得したシーン識別子に対応する属性変更情報を、前記属性変更管理情報格納部から取得する属性変更情報取得部とを具備し、
前記楽曲データ再生部は、
前記再生中の楽曲データの再生時の属性を、前記属性変更情報取得部が取得した属性変更情報に従い変更する車載装置であって、
前記シーン管理情報格納部は、
移動体の走行時の状態、走行時の時刻、走行時の天気のいずれか１以上に対応する走行シーンを識別するためのシーン識別子と、当該移動体の走行シーンを判別するための条件であるシーン判別条件とを対応付けて有する２以上のシーン管理情報と、当該移動体の走行シーンの優先度を示す優先度情報とが格納しており、
前記楽曲データ格納部は、
シーン識別子が対応付けられた１以上の楽曲データが格納しており、
前記楽曲データ取得部は、
前記シーン識別子取得部が取得したシーン識別子に対応する楽曲データを、前記楽曲データ格納部から取得し、
前記楽曲データ再生部は、
前記楽曲データ取得部が取得した楽曲データを再生し、
前記シーン識別子取得部は、
前記シーン情報取得部が取得したシーン情報が合致するシーン判別条件に対応する１以上のシーン識別子を、前記シーン管理情報格納部から取得する第一シーン識別子取得手段と、
前記第一シーン識別子取得手段が取得したシーン識別子が２以上であるか否かを判断する判断手段と、
前記判断手段が、前記第一シーン識別子取得手段が取得したシーン識別子が２以上であると判断した場合に、当該２以上の各シーン識別子に対応する優先度情報を前記シーン管理情報格納部から取得する優先度情報取得手段と、
前記優先度情報取得手段が取得した２以上の優先度情報のうちの予め決められた条件に合致する優先度情報に対応する１以上のシーン識別子を、前記第一シーン識別子取得手段が取得した２以上のシーン識別子から取得する第二シーン識別子取得手段とを具備し、
前記楽曲データ取得部は、
前記第一シーン識別子取得手段が２以上のシーン識別子を取得した場合は、前記第二シーン識別子取得手段が取得したシーン識別子に対応する楽曲データを、前記楽曲データ格納部から取得し、前記第一シーン識別子取得手段が１つのシーン識別子を取得した場合は、当該シーン識別子に対応する楽曲データを、前記楽曲データ格納部から取得し、
前記第二シーン識別子取得手段が取得したシーン識別子が２以上である場合、当該２以上のシーン識別子を提示し、当該提示された２以上のシーン識別子のうちの一のシーン識別子の選択を受け付け、
前記楽曲データ取得部は、
前記選択された一のシーン識別子に対応する楽曲データを取得する車載装置。
【請求項３】
前記優先度情報は、
シーン識別子の１以上の集合であるシーングループ間の優先関係を示す情報であり、
前記シーン識別子取得部は、
前記シーン情報取得部が取得したシーン情報が合致するシーン判別条件に対応する１以上のシーン識別子を、前記シーン管理情報格納部から取得する第一シーン識別子取得手段と、
前記第一シーン識別子取得手段が取得したシーン識別子が２以上であるか否かを判断する判断手段と、
前記判断手段が、前記第一シーン識別子取得手段が取得したシーン識別子が２以上であると判断した場合に、当該２以上の各シーン識別子に対応する優先度情報を前記シーン管理情報格納部から取得する優先度情報取得手段と、
前記優先度情報取得手段が取得した２以上の優先度情報のうちの予め決められた条件に合致する優先度情報が示すシーングループに属する１以上のシーン識別子を、前記第一シーン識別子取得手段が取得した２以上のシーン識別子から取得する第二シーン識別子取得手段とを具備する請求項２記載の車載装置。
【請求項４】
前記シーン判別条件は、
移動体の走行シーンの開始を判別するための条件であるシーン開始条件と、移動体の走行シーンの終了を判別するための条件であるシーン終了条件とを有し、
前記シーン識別子取得部は、
前記シーン情報取得部が取得したシーン情報が合致するシーン開始条件に対応するシーン識別子を取得し、
当該取得されたシーン識別子は、前記シーン情報取得部が取得したシーン情報が前記シーン開始条件と対になるシーン終了条件に合致するまで有効である請求項１から請求項３いずれか一項に記載の車載装置。
【請求項５】
記録媒体は、
走行時の移動体の状態、走行時の時刻、走行時の天気のうちのいずれか１以上に対応する走行シーンを識別するためのシーン識別子と、当該移動体の走行シーンを判別するための条件であるシーン判別条件とを対応付けて有する２以上のシーン管理情報が格納されるシーン管理情報格納部と、
シーン識別子が対応付けられた１以上の楽曲データが格納される楽曲データ格納部と、
シーン識別子と、楽曲データの再生時の属性の変更内容を示す属性変更情報とを対応付けて有する１以上の属性変更管理情報が格納される属性変更管理情報格納部とを具備し、
楽曲データ取得部、楽曲データ再生部、シーン情報取得部、シーン識別子取得部、および属性変更情報取得部により実現される楽曲再生方法であって、
前記楽曲データ取得部が、前記楽曲データ格納部に格納されている１以上の楽曲データのうちのいずれかを取得する楽曲データ取得ステップと、
前記楽曲データ再生部が、前記楽曲データ取得ステップで取得された楽曲データを再生する楽曲データ再生ステップと、
前記シーン情報取得部が、移動体の走行シーンを示すシーン情報であり、移動体の走行時の状態に関連する状態関連情報、移動体の走行時の時刻に関連する時刻関連情報、移動体の走行時の天気に関連する天気関連情報のうちの１以上の情報を有するシーン情報を取得するシーン情報取得ステップと、
前記シーン識別子取得部が、前記シーン情報取得ステップで取得されたシーン情報に対応する１以上のシーン識別子を、前記シーン管理情報格納部から取得するシーン識別子取得ステップと、
前記属性変更情報取得部が、前記シーン識別子取得ステップで取得されたシーン識別子に対応する属性変更情報を、前記属性変更管理情報格納部から取得する属性変更情報取得ステップと、
前記楽曲データ再生部が、前記再生中の楽曲データの再生時の属性を、前記属性変更情報取得部が取得した属性変更情報に従い変更するステップとを具備し、
前記シーン識別子取得ステップで取得されたシーン識別子が２以上である場合、当該２以上のシーン識別子を提示し、当該提示された２以上のシーン識別子のうちの一のシーン識別子の選択を受け付け、
前記楽曲データ取得ステップにおいて、
前記選択された一のシーン識別子に対応する楽曲データを取得する楽曲再生方法。
【請求項６】
コンピュータがアクセス可能な記録媒体は、
走行時の移動体の状態、走行時の時刻、走行時の天気のうちのいずれか１以上に対応する走行シーンを識別するためのシーン識別子と、当該移動体の走行シーンを判別するための条件であるシーン判別条件とを対応付けて有する２以上のシーン管理情報が格納されるシーン管理情報格納部と、
シーン識別子が対応付けられた１以上の楽曲データが格納される楽曲データ格納部と、
シーン識別子と、楽曲データの再生時の属性の変更内容を示す属性変更情報とを対応付けて有する１以上の属性変更管理情報が格納される属性変更管理情報格納部とを具備し、
コンピュータを、
前記楽曲データ格納部に格納されている１以上の楽曲データのうちのいずれかを取得する楽曲データ取得部と、
前記楽曲データ取得部が取得した楽曲データを再生する楽曲データ再生部と、
移動体の走行シーンを示すシーン情報であり、移動体の走行時の状態に関連する状態関連情報、移動体の走行時の時刻に関連する時刻関連情報、移動体の走行時の天気に関連する天気関連情報のうちの１以上の情報を有するシーン情報を取得するシーン情報取得部と、
前記シーン情報取得部が取得したシーン情報に対応する１以上のシーン識別子を、前記シーン管理情報格納部から取得するシーン識別子取得部と、
前記シーン識別子取得部が取得したシーン識別子に対応する属性変更情報を、前記属性変更管理情報格納部から取得する属性変更情報取得部として機能させるプログラムであって、
前記楽曲データ再生部は、
前記再生中の楽曲データの再生時の属性を、前記属性変更情報取得部が取得した属性変更情報に従い変更するものとしてコンピュータを機能させるプログラムであって、
前記シーン識別子取得部が取得したシーン識別子が２以上である場合、当該２以上のシーン識別子を提示し、当該提示された２以上のシーン識別子のうちの一のシーン識別子の選択を受け付け、
前記楽曲データ取得部は、
前記選択された一のシーン識別子に対応する楽曲データを取得するものとしてコンピュータを機能させるプログラム。
【発明の詳細な説明】
【技術分野】
【０００１】
本発明は、車載装置等に関するものである。
【背景技術】
【０００２】
従来、移動体の位置や移動状態と、統一感や完結感のある楽曲を提供する楽音発生装置等が開発されている（特許文献１参照）。
【先行技術文献】
【特許文献】
【０００３】
【特許文献１】特開２００８−２０３３３８
【発明の概要】
【発明が解決しようとする課題】
【０００４】
しかしながら、従来の楽音発生装置においては、複数の走行シーンを検知した場合にどの走行シーンを優先するのかなど、走行シーンの競合を考慮していなかった。
【課題を解決するための手段】
【０００５】
本第一の発明の車載装置は、移動体の走行シーンを識別するためのシーン識別子と、移動体の走行シーンを判別するための条件であるシーン判別条件とを対応付けて有する２以上のシーン管理情報と、移動体の走行シーンの優先度を示す優先度情報とが格納されるシーン管理情報格納部と、シーン識別子が対応付けられた１以上の楽曲データが格納される楽曲データ格納部と、移動体の走行シーンを示すシーン情報を取得するシーン情報取得部と、シーン情報取得部が取得したシーン情報に対応する１以上のシーン識別子を、シーン管理情報格納部から取得するシーン識別子取得部と、シーン識別子取得部が取得したシーン識別子に対応する楽曲データを、楽曲データ格納部から取得する楽曲データ取得部と、楽曲データ取得部が取得した楽曲データを再生する楽曲データ再生部とを具備し、シーン識別子取得部は、シーン情報取得部が取得したシーン情報が合致するシーン判別条件に対応する１以上のシーン識別子を、シーン管理情報格納部から取得する第一シーン識別子取得手段と、第一シーン識別子取得手段が取得したシーン識別子が２以上であるか否かを判断する判断手段と、判断手段が、第一シーン識別子取得手段が取得したシーン識別子が２以上であると判断した場合に、２以上の各シーン識別子に対応する優先度情報をシーン管理情報格納部から取得する優先度情報取得手段と、優先度情報取得手段が取得した２以上の優先度情報のうちの予め決められた条件に合致する優先度情報に対応する１以上のシーン識別子を、第一シーン識別子取得手段が取得した２以上のシーン識別子から取得する第二シーン識別子取得手段とを具備し、楽曲データ取得部は、第一シーン識別子取得手段が２以上のシーン識別子を取得した場合は、第二シーン識別子取得手段が取得したシーン識別子に対応する楽曲データを、楽曲データ格納部から取得し、第一シーン識別子取得手段が１つのシーン識別子を取得した場合は、シーン識別子に対応する楽曲データを、楽曲データ格納部から取得する車載装置である。
【０００６】
このような構成により、検知した複数の走行シーンの中から、最優先される走行シーンを選択し、当該走行シーンに適合する楽曲を再生することができる。
【０００７】
また、本第二の発明の車載装置は、第一の発明に対して、シーン管理情報格納部には、シーン管理情報と、２以上のシーン識別子のうち最優先されるシーン識別子を示す優先度情報とが格納され、優先度情報取得手段は、第一シーン識別子取得手段が取得した２以上のシーン識別子の組と対応付いている優先度情報を取得し、第二シーン識別子取得手段は、優先度情報取得手段が取得した優先度情報により最優先であることが示される１つのシーン識別子を、第一シーン識別子取得手段が取得した２以上のシーン識別子から取得する車載装置である。
【０００８】
このような構成により、検知した複数の走行シーンの中から、最優先される走行シーンを選択し、当該走行シーンに適合する楽曲を再生することができる。
【０００９】
また、本第三の発明の車載装置は、第一または第二の発明に対して、楽曲データ格納部には、楽曲データのカテゴリを示すカテゴリ識別子が対応付けられた１以上の楽曲データが格納され、シーン識別子と、カテゴリ識別子とを対応付けて有する１以上のカテゴリ管理情報が格納されるカテゴリ管理情報格納部と、シーン識別子取得部が取得したシーン識別子に対応するカテゴリ識別子を、カテゴリ管理情報格納部から取得するカテゴリ識別子取得部とをさらに具備し、楽曲データ取得部は、カテゴリ識別子取得部が取得したカテゴリ識別子に対応する楽曲データを、楽曲データ格納部から取得する車載装置である。
【００１０】
このような構成により、最優先される走行シーンに適合するカテゴリの楽曲を再生することができる。
【００１１】
また、本第四の発明の車載装置は、第一または第二の発明に対して、楽曲データ格納部には、１以上の楽曲データが格納され、シーン識別子と、楽曲データの再生時の属性の変更内容を示す属性変更情報とを対応付けて有する１以上の属性変更管理情報が格納される属性変更管理情報格納部と、シーン識別子取得部が取得したシーン識別子に対応する属性変更情報を、属性変更情報格納部から取得する属性変更情報取得部をさらに具備し、楽曲データ取得部は、楽曲データ格納部に格納されている１以上の楽曲データのいずれかを取得し、楽曲データ再生部は、楽曲データ取得部が取得した楽曲データを再生する、または再生中の楽曲データの再生時の属性を、属性変更情報取得部が取得した属性変更情報に従い変更する車載装置である。
【００１２】
このような構成により、最優先される走行シーンに適合する変更方法に従い、楽曲の再生時の属性を変更することができる。
【発明の効果】
【００１３】
本発明による車載装置等によれば、検知した複数の走行シーンの中から、最優先される走行シーンを選択し、当該走行シーンに適合する楽曲を再生することができる。
【図面の簡単な説明】
【００１４】
【図１】実施の形態１における車載装置１のブロック図
【図２】同車載装置１の全体動作について説明するフローチャート
【図３】同シーン識別子の取得処理について説明するフローチャート
【図４】同シーン管理情報の例を示す図
【図５】同楽曲データの例を示す図
【図６】同シーン管理情報の例を示す図
【図７】同優先度情報の例を示す図
【図８】同カテゴリ管理情報の例を示す図
【図９】同楽曲データの例を示す図
【図１０】同属性変更管理情報の例を示す図
【図１１】同実施の形態１における車載装置２のブロック図
【図１２】同実施の形態１における車載装置３のブロック図
【図１３】上記実施の形態におけるコンピュータシステムの概観図
【図１４】上記実施の形態におけるコンピュータシステムのブロック図
【発明を実施するための形態】
【００１５】
以下、本発明による車載装置等の実施形態について図面を参照して説明する。なお、実施の形態において同じ符号を付した構成要素は同様の動作を行うので、再度の説明を省略する場合がある。また、所定の情報が格納され得る格納部等において、当該格納部に情報が記憶される過程は問わないものとする。例えば、記録媒体を介して情報が格納部等で記憶されるようになってもよい。また、通信回線などを介して送信された情報が格納部等で記憶されるようになってもよい。さらに、入力デバイスを介して入力された情報が格納部等で記憶されるようになってもよい。また、本実施の形態において説明する各情報の形式、内容などは、あくまで例示であり、各情報の持つ意味を示すことができれば、形式、内容などは問わない。
【００１６】
（実施の形態１）
本実施の形態において、複数の走行シーンを検知した場合に、優先される走行シーンを選択し、当該走行シーンに適合する楽曲データを再生する車載装置１について説明する。なお、本実施の形態において、車載装置１は、通常、オーディオ装置と一体型のナビゲーション装置であるが、例えば、オーディオ装置と接続されているナビゲーション装置や、ナビゲーション装置と接続されているオーディオ装置、オーディオ装置とナビゲーション装置との連携を行うための装置などでもよい。また、車載装置１は、例えば、オーディオ機能や、ナビゲーション機能を有する端末装置であってもよい。また、車載装置１は、通常、車や、バイク、自転車などの移動体（乗り物）に搭載されている。なお、移動体には人も含まれる。
【００１７】
図１は、本実施の形態における車載装置１のブロック図である。車載装置１は、シーン管理情報格納部１１、カテゴリ管理情報格納部１２、属性変更管理情報格納部１３、楽曲データ格納部１４、シーン情報取得部１５、シーン識別子取得部１６、カテゴリ識別子取得部１７、属性変更情報取得部１８、楽曲データ取得部１９、楽曲データ再生部２０を備える。シーン識別子取得部１６は、第一シーン識別子取得手段１６１、判断手段１６２、優先度情報取得手段１６３、第二シーン識別子取得手段１６４を備える。
【００１８】
シーン管理情報格納部１１には、１以上のシーン管理情報と、優先度情報とが格納される。シーン管理情報とは、シーン識別子と、シーン判別条件とを対応付けて有する情報である。また、一のシーン管理情報は、通常、一の優先度情報と対応付いている。また、一の優先度情報は、２以上のシーン識別子と対応付いていてもよい。
【００１９】
シーン識別子とは、移動体の走行シーンを識別するための情報である。走行シーンとは、例えば、移動体の走行時の位置や、移動体の走行時の状態、移動体の走行時の時刻、移動体の走行時の天気などである。つまり、シーン識別子は、例えば、（１）移動体の位置に関連する識別子や、（２）移動体の状態に関連する識別子、（３）時刻に関連する識別子、（４）天気に関連する識別子、（５）その他の任意の識別子などである。（１）は、例えば、道路の種類を識別するものや、道路の構造を識別するもの、地域を識別するものなどである。（１）は、例えば、「高速道路」や、「一般道路」、「トンネル」、「橋」、「東京」、「大阪」などである。また、（２）は、移動体のエンジンの状態を識別するものや、移動体の燃料残量を識別するもの、移動体の速度を識別するものなどである。（２）は、例えば、「エンジンＯＮ」や、「燃料多」、「速度遅」などである。また、（３）は、例えば、時間帯を識別するものなどである。（３）は、例えば、「午前」や、「午後」、「朝」、「昼」、「夕」、「夜」などである。また、（４）は、例えば、天気を識別するものや、降水確率を識別するものなどである。（４）は、例えば、「晴」、「曇」、「雨」、「降水確率５０％」などである。また、（５）は、例えば、「シーンＡ」や、「シーンＢ」、「ユーザ定義シーン」などである。なお、シーン識別子は、後述のシーン情報と同様の情報であってもよい。
【００２０】
また、シーン判別条件とは、移動体の走行シーンを判別するための条件である。移動体の走行シーンを判別するための条件とは、移動体の走行シーンを示すシーン情報に関する条件である。つまり、シーン判別条件とは、シーン情報を有する条件である。
【００２１】
シーン情報は、例えば、移動体の走行時の位置に関連する位置関連情報や、移動体の走行時の状態に関連する状態関連情報、移動体の走行時の時刻に関連する時刻関連情報、移動体の走行時の天気に関連する天気関連情報などである。なお、シーン情報は、通常、移動体の現在の走行シーンを示す情報である。
【００２２】
位置関連情報は、例えば、走行中の位置を示す位置情報や、走行中の道路を示す道路情報、走行中の地域を示す地域情報、走行中の地形を示す地形情報などである。
【００２３】
位置情報は、通常、経緯度を示す経緯度情報であるが、地図上の座標を示す座標情報や、高度を示す高度情報、距離を示す距離情報などであってもよい。「距離」は、通常、空間的距離であるが、時間的距離であってもよい。また、距離情報は、例えば、移動体の現在位置から目的地までの距離を示す目的地距離情報や、出発地から移動体の現在位置までの距離を示す現在距離情報、その他、移動体の現在位置から予め決められた条件に合致する地点までの距離を示す地点距離情報などである。また、目的地距離情報は、移動体の現在位置から目的地までの直線距離であってもよいし、経路上の距離であってもよい。これは、現在距離情報や、地点距離情報などでも同様である。また、「予め決められた条件」とは、地点に関する地点条件である。当該条件は、通常、目的地までの経路上かつ進行方向にある最も近い地点であること、である。また、当該「最も近い地点」とは、例えば、トンネルの入口または出口、高速道路の入口または出口、国道などの主要道と他の道路との交差点などである。つまり、「予め決められた条件に合致する地点」とは、例えば、目的地までの経路上かつ進行方向にある最も近いトンネルの入口または出口、高速道路の入口または出口、国道などの主要道と他の道路との交差点などである。なお、地点距離情報は、予め決められた条件に合致する地点から移動体の現在位置までの距離を示してもよい。また、地点距離情報は、例えば、「＋」や「−」の符号を有しており、当該符号により、移動体の現在位置に対する方向を示してもよい。例えば、地点距離情報が「＋」を有している場合、当該地点は移動体の進行方向（前方）に存在することを示す。また、例えば、地点距離情報が「−」を有している場合、当該地点は移動体の進行方向とは逆の方向（後方）に存在することを示す。
【００２４】
また、道路情報は、例えば、道路の種類を示す道路種類情報や、道路の構造を示す道路構造情報、道路の制限速度を示す制限速度情報などである。道路種類情報は、道路法に規定されている道路の種類や、道路の名称、その他任意の分類などを示す。道路種類情報は、例えば、「高速自動車国道」や、「一般国道」、「都道府県道」、「市町村道」、「名神高速道路」、「国道１号線」、「主要道」、「公道」、「私道」などである。道路種類情報は、道路の名称を示す道路名称情報であってもよい。また、道路構造情報は、例えば、「トンネル」や、「橋」、「高架」などである。また、制限速度情報は、例えば、「時速６０ｋｍ」や、「８０ｋｍ／ｈ」などである。
【００２５】
また、地域情報は、通常、地域の名称を示す地域名称情報である。地域名称情報は、例えば、都道府県の名称を示す都道府県名称情報や、市町村の名称を示す値町村名称情報、行政区画の名称を示す行政区画名称情報、地方区分の名称を示す地方区分名称情報などである。地域情報は、例えば、「東京都」や、「兵庫県」、「千代田区」、「神戸市」、「関西」、「関東」などである。また、地形情報は、通常、地形の種類を示す地形種類情報である。地形情報は、例えば、「山間部」や、「海辺」、「川辺」、「市街地」などである。
【００２６】
また、状態関連情報は、例えば、移動体のエンジンのＯＮまたはＯＦＦの状態を示すエンジン情報や、移動体の燃料残量を示す燃料残量情報、移動体の速度を示す速度情報などである。エンジン情報は、例えば、「ＯＮ」や、「ＯＦＦ」、「動作中」、「停止中」などである。
【００２７】
また、時刻関連情報は、例えば、時刻を示す時刻情報や、時間帯を示す時間帯情報などである。時間帯情報は、通常、気象庁が規定している時間細分（http://www.jma.go.jp/jma/kishou/know/yougo_hp/saibun.html）であるが、当該時間細分と同様の細分を示すものであってもよい。時間帯情報は、例えば、「午前」や、「午後」、「朝」、「昼」、「夕」、「夜」などである。
【００２８】
また、天気関連情報は、天気を示す天気情報や、予報された天気を示す予報天気情報、降水確率を示す降水確率情報、雨量を示す雨量情報、雲量を示す雲量情報、気温を示す気温情報、湿度を示す湿度情報などである。天気情報や予報天気情報は、気象庁が規定している天気名（http://www.jma.go.jp/jma/kishou/know/yougo_hp/tenki.html）や、その他一般的に天気予報等において使用される天気名などである。天気情報、および予報天気情報は、例えば、「晴」、「曇」、「雨」、「霙」、「雹」などである。
【００２９】
以上より、シーン判別条件は、例えば、（１）移動体の位置に関連する条件や、（２）移動体の状態に関連する条件、（３）時刻に関連する条件などである。
【００３０】
（１）は、例えば、（１１）「道路種類＝高速自動車国道」や、（１２）「道路構造＝トンネル」、（１３）「トンネル距離≦２００ｍ」などである。（１１）は、移動体が走行している道路の種類が高速自動車国道であることを示す。また、（１２）は、移動体が走行している道路の構造がトンネルであることを示す。また、（１３）は、移動体の現在の位置からトンネルまでの距離が２００ｍであることを示す。
【００３１】
なお、（１３）は、トンネルまでの距離に関するトンネル距離条件であり、当該トンネル距離条件は、移動体の速度を示す速度情報に応じて変化することが好適である。例えば、当該速度情報が「５０ｋｍ／ｈ」である場合、トンネル距離条件は、「トンネル距離≦１５ｍ」などである。また、例えば、当該速度情報が「１００ｋｍ／ｈ」である場合、トンネル距離条件は、「トンネル距離≦３０ｍ」などである。また、トンネル距離条件は、トンネル距離情報を代入することで確定するものであってもよい。例えば、上記の例であれば、トンネル距離条件は、「トンネル距離≦（＄時速×３時間÷１０，０００）」などである。この場合、「＄時速」に時速を示す速度情報が代入される。また、トンネル距離条件は、例えば、「トンネル距離≦（＄秒速×１秒）」などであってもよい。この場合、「＄秒速」に秒速を示す速度情報が代入される。
【００３２】
また、（２）は、例えば、（２１）「エンジン＝ＯＮ」や、（２２）「速度＞０ｋｍ／ｈ」、（２３）「燃料残量≦１０Ｌ」などである。（２１）は、移動体のエンジンの状態がＯＮであることを示す。また、（２２）は、移動体の速度が０ｋｍ／ｈより大きいことを示す。また、（２３）は、移動体の燃料の残量が１０Ｌ以下であることを示す。
【００３３】
また、（３）は、例えば、（３１）「時刻≦１２：００」や、（３２）「時間帯＝夕暮れ」、（３３）「降水確率≧５０％」などである。（３１）は、現在の時刻が１２：００以前であることを示す。また、（３２）は、現在の時間帯が夕暮れであることを示す。また、（３３）は、降水確率が５０％以上であることを示す。
【００３４】
また、シーン判別条件は、これらの条件の２以上の組み合わせであってもよい。シーン判別条件は、例えば、（ａ）「（道路種類＝高速自動車国道）＆（トンネル距離≦２００ｍ）」や、（ｂ）「（時刻≦７：００）｜（時刻≧２２：００）」、（ｃ）「（道路種類＝一般国道）＆（天気＝雨）＆（時刻≧１８：００）」などである。（ａ）は、移動体が走行している道路の種類が自動車国道であり、かつトンネルまでの距離が２００ｍであることを示す。また、（ｂ）は、時刻が７：００以前である、または時刻が２２：００以後であることを示す。また、（ｃ）は、移動体が走行している道路の種類が一般国道であり、かつ天気が雨であり、かつ時刻が１８：００以後であることを示す。
【００３５】
また、シーン判別条件は、例えば、移動体の走行シーンの開始を判別するための条件であるシーン開始条件であってもよい。この場合、シーン開始条件は、シーン判別条件である。また、シーン判別条件は、例えば、移動体の走行シーンの終了を判別するための条件であるシーン終了条件を有していてもよい。この場合、シーン判別条件は、シーン開始条件と、シーン終了条件とを有する。なお、シーン終了条件は、シーン開始条件と同様であるので、説明を省略する。
【００３６】
また、優先度情報とは、移動体の走行シーンの優先度を示す情報である。移動体の走行シーンを識別する情報は、シーン識別子である。従って、優先度情報は、シーン識別子の優先度を示す情報でもある。また、移動体の走行シーンを判別するための条件は、シーン判別条件である。従って、優先度情報は、シーン判別条件の優先度を示す情報であってもよい。また、優先度情報は、優先度を絶対的に示す情報や、優先度を相対的に示す情報などである。
【００３７】
優先度を絶対的に示す場合、優先度情報は、シーン識別子により識別される移動体の走行シーンごとの優先度を示す。また、優先度情報は、例えば、数値や、優先の度合を示す文字や記号などである。優先度情報は、例えば、「１」や、「８０」、「高」、「中」、「低」、「○」、「△」、「×」などである。なお、当該優先度情報が示す優先度は、優先度情報が示す数値などの大小により決定されるものではない。
【００３８】
また、優先度を相対的に示す場合、優先度情報は、シーン識別子により識別される移動体の走行シーン間の優先関係を示す。また、優先度情報は、例えば、シーン識別子や、２以上のシーン識別子間の優先度を示す記号や文字などである。また、優先度情報は、例えば、シーン識別子に対応付いているシーン判別条件が有するシーン情報の種類や内容を示す情報であってもよい。優先度情報は、（１）「トンネル」や、（２）「○」、（３）「＜」、（４）「（高速道路，トンネル｜トンネル）」、（５）「高速道路，山間部，トンネル（○）」、（６）「高速道路＜トンネル」、（７）「（天気，時刻｜天気）」、（８）「時刻，天気（○）」、（９）「時刻関連＜天気関連」などである。（１）は、シーン識別子「トンネル」を含む２以上のシーン識別子の組において最優先されるシーン識別子が「トンネル」であることを示す。また、（２）は、シーン識別子の２以上の組において最優先されるシーン識別子を示す記号である。また、（３）は、２つのシーン識別子の組において優先されるシーン識別子を示す記号である。また、（４）は、２つのシーン識別子「高速道路」、「トンネル」の組において優先されるシーン識別子が「トンネル」であることを示す。また、（５）は、３つのシーン識別子「高速道路」、「山間部」、「トンネル」の３つの組において最優先されるシーン識別子が「トンネル」であることを示す。また、（６）は、２つのシーン識別子「高速道路」、「トンネル」の組において優先されるシーン識別子が「トンネル」であることを示す。また、（７）は、シーン情報が、天気関連情報を有するシーン判別条件と、時刻関連情報を有するシーン判別条件の２つのシーン判別条件に合致する場合に、天気関連情報を有するシーン判別条件に対応するシーン識別子を優先することを示す。また、（８）、（９）は、（７）と同様であるので説明を省略する。
【００３９】
また、優先度情報は、シーン識別子の１以上の集合であるシーングループ間の優先関係を示す情報であってもよい。シーングループは、通常、当該シーングループを識別するグループ識別子を有する。また、一のグループ識別子は、通常、１以上のシーン識別子に対応付いており、当該対応付けにより、当該１以上のシーン識別子が同一のシーングループであることが示される。例えば、１つのグループ識別子「割込グループ」と、２つのシーン識別子「トンネル」と「速度超過」とが対応付いている場合、当該シーン識別子「トンネル」と「速度超過」は、グループ識別子「割込グループ」で識別される同一のシーングループに属することを示す。
【００４０】
シーングループの優先関係を示す場合、優先度情報は、例えば、（ａ）「通常グループ＜割込グループ」や、（ｂ）「通常，割込｜割込」などである。（ａ）および（ｂ）は、「通常グループ」と「割込グループ」の２つのシーングループにおいて優先するシーングループが「割込グループ」であることを示す。つまり、（ａ）および（ｂ）は、通常グループに属するシーン識別子と、割込グループに属するシーン識別子とにおいて、割込グループに属するシーン識別子を優先することを示す。例えば、優先度情報が上記（ａ）や（ｂ）などであるとする。また、グループ識別子「通常グループ」と、シーン識別子「高速道路」と「一般国道」とが対応付いているとする。また、グループ識別子「割込グループ」と、シーン識別子「トンネル」と「速度超過」とが対応付いているとする。このような場合、当該優先度情報は、当該４つのシーン識別子「高速道路」、「一般国道」、「トンネル」、「速度超過」において、グループ識別子「割込グループ」に対応付いている「トンネル」と「速度超過」を優先することを示す。
【００４１】
また、一のシーングループにおいて、上記優先度を絶対的に示す優先度情報や、優先度を相対的に示す優先度情報により、当該シーングループに属する２以上のシーン識別子間の優先関係が示されてもよい。
【００４２】
カテゴリ管理情報格納部１２には、シーン識別子と、楽曲データのカテゴリを示すカテゴリ識別子とを対応付けて有する１以上のカテゴリ管理情報が格納される。カテゴリ識別子は、楽曲データのいわゆるジャンルを識別するものであってもよい。カテゴリ識別子は、例えば、「ロック」、「ジャス」、「アップテンポ」、「スローテンポ」などである。
【００４３】
属性変更管理情報格納部１３は、１以上の属性変更管理情報が格納される。属性変更管理情報とは、シーン識別子と、属性変更情報とを対応付けて有する情報である。
【００４４】
属性変更情報とは、楽曲データの再生時の属性の変更内容を示す情報である。当該「再生時の属性」とは、例えば、音量や、音量の左右のバランス、トーン（音調）、ピッチ（音程）、テンポ（拍数、速さ）などである。また、「変更内容」とは、例えば、音量を上げることや、音量を下げること、左の音量を上げ右の音量を下げること、トーンを変更すること、ピッチを上げること、テンポを上げることなどである。つまり、属性変更情報は、例えば、（１）「音量＋１」や、（２）「左＋２｜右−２」、（３）「高音：強｜低音：弱」、（４）「音程＋２半音」、（５）「テンポ×９０％」などである。（１）は、音量を１上げることを示す。また、（２）は、左側の音量を２上げ、右側の音量を２下げることを示す。また、（３）は、高音を強くし、低音を弱くすることを示す。また、（４）は、音程を２半音上げることを示す。また、（５）は、テンポを９０％にすることを示す。また、属性変更情報は、これらの２以上の組み合わせであってもよい。
【００４５】
楽曲データ格納部１４には、１以上の楽曲データが格納される。楽曲データとは、楽曲を電子的に扱うためのものである。楽曲とは、いわゆる「音楽」と呼ばれるものや、いわゆる「曲」と呼ばれるもの、音声、効果音などである。楽曲の内容は問わない。また、楽曲データは、楽曲を電子的に扱えるものであれば、形式などは問わない。楽曲データは、例えば、ＭＰ３や、ＭＩＤＩ、ＷＡＶなどの形式である。また、楽曲データは、通常、楽曲データを識別するための楽曲データ識別子を有する。当該楽曲データ識別子は、例えば、いわゆるファイル名や、楽曲名などである。また、当該楽曲データは、通常、シーン識別子が対応付けられている。また、当該楽曲データは、例えば、カテゴリ識別子が対応付けられていてもよい。
【００４６】
シーン情報取得部１５は、シーン情報を取得する。例えば、位置関連情報を取得する場合、シーン情報取得部１５は、通常、地図を示す地図情報と、移動体の現在位置を示す現在位置情報とを取得し、当該現在位置情報が示す現在位置に対応する道路情報などを、地図情報から取得する。当該地図情報は、通常、地図上の道路を示す地図道路情報や、地図上の地域を示す地図地域情報、地図上の地形を示す地図地形情報などを有している。地図道路情報は、例えば、道路名称情報や、道路種類情報、道路構造情報、制限速度情報、道路の起点や終点、経由地点などの位置を示す道路位置情報などを有する。また、地図地域情報は、地域名称情報や、当該地域の位置や範囲を示す地域位置情報などを有する。また、地図地形情報は、地形種類情報や、当該地形の位置や範囲を示す地形位置情報などを有する。
【００４７】
また、地図情報は、２以上の道路情報の集合である経路情報を有していてもよい。当該経路情報は、出発地から目的地までの経路を示す情報である。また、地図情報は、通常、シーン情報取得部１５が保持しているが、予め決められた記憶領域や、任意の記憶領域などに格納されていてもよい。
【００４８】
例えば、シーン情報取得部１５は、取得した現在位置情報が、上記各種情報が有する位置情報と一致するか否かを判断し、一致する場合に、当該位置情報を有する上記各種情報を取得する。当該「一致するか否かを判断」には、当該位置情報が示す範囲に含まれるか否かを判断することも含まれる。例えば、道路情報を取得する場合、シーン情報取得部１５は、取得した現在位置情報と、地図道路情報が有する道路位置情報とが一致するか否かを判断する。そして、一致する場合、シーン情報取得部１５は、当該地図道路情報を、シーン情報である道路情報として取得する。また、例えば、地域情報を取得する場合、シーン情報取得部１５は、取得した現在位置情報が、地図地域情報が有する地域位置情報が示す範囲に含まれるか否かを判断する。そして、含まれる場合、シーン情報取得部１５は、当該地図地域情報を、シーン情報である地域情報として取得する。また、例えば、地形情報を取得する場合、シーン情報取得部１５は、取得した現在位置情報が、地図地形情報が有する地形位置情報に一致するか否か、または当該地形位置情報が示す範囲に含まれるか否かを判断する。そして一致する場合、または含まれる場合、シーン情報取得部１５は、当該地図地形情報を、シーン情報である地形情報として取得する。
【００４９】
また、位置関連情報を取得する場合、シーン情報取得部１５は、通常、衛星航法システム（ＧＰＳ受信機など）や、移動体通信用の基地局から位置情報を受信する装置などから、各種位置関連情報を取得する。この場合、シーン情報取得部１５は、これらの装置を有していてもよいし、これらの装置で実現され得てもよい。
【００５０】
また、例えば、状態関連情報を取得する場合、シーン情報取得部１５は、通常、エンジンのＯＮまたはＯＦＦを検知するイグニッションセンサや、移動体の速度を計測する速度計、移動体の燃料残量を計測する燃料残量計などの装置から、各種状態関連情報を取得する。この場合、シーン情報取得部１５は、これらの装置を有していてもよいし、これらの装置で実現され得てもよい。
【００５１】
また、例えば、時刻関連情報を取得する場合、シーン情報取得部１５は、通常、時計から時刻情報を取得する。また、シーン情報取得部１５は、通常、時刻の条件を示す時刻条件と、時間細分との対応表を有しており、取得した時刻情報が合致する時刻条件に対応する時間細分を取得し、時間帯情報を取得する。この場合、シーン情報取得部１５は、時計を有していてもよいし、時計で実現され得てもよい。
【００５２】
また、例えば、天気関連情報を取得する場合、シーン情報取得部１５は、通常、天気情報や予報天気情報、降水確率情報などを受信する装置から、天気情報などの天気関連情報を取得する。また、例えば、当該天気情報などが予め決められた記憶領域や任意の記憶領域に格納されている場合、シーン情報取得部１５は、当該天気情報などを、当該記憶領域から取得してもよい。また、シーン情報取得部１５は、通常、雨量を計測する雨量計や、気温を計測する気温計、湿度を計測する湿度計などの装置から、雨量情報などの天気関連情報を取得する。この場合、シーン情報取得部１５は、これらの装置を有していてもよいし、これらの装置で実現され得てもよい。
【００５３】
また、シーン情報取得部１５は、例えば、シーン管理情報格納部１１に格納されているシーン判別条件に従い、シーン情報を取得してもよい。例えば、シーン情報取得部１５は、シーン管理情報格納部１１に格納されているシーン判別条件に対し、予め決められた順序に従い、当該シーン判別条件が何を示す条件であるかを判断する。そして、例えば、当該シーン判別条件が、移動体の位置に関連する条件である位置関連条件である場合、シーン情報取得部１５は、位置関連情報を取得する。また、例えば、当該シーン判別条件が、移動体の状態に関連する条件である状態関連条件である場合、シーン情報取得部１５は、状態関連情報を取得する。また、例えば、当該シーン判別条件が、時刻に関連する条件である時刻関連条件である場合、シーン情報取得部１５は、時刻関連情報を取得する。また、例えば、当該シーン判別条件が、天気に関連する天気関連条件である場合、シーン情報取得部１５は、天気関連情報を取得する。
【００５４】
なお、シーン情報取得部１５は、通常、車載装置１の電源がＯＮになった直後から、電源がＯＦＦになるまで、シーン情報を取得し続ける。当該取得のタイミングは、通常、１秒ごとや、１０分ごと、１時間ごとなどの定期的であるが、不定期であってもよい。例えば、シーン情報取得部１５は、都道府県や市町村などの地域が変わるたびにシーン情報を取得してもよい。なお、地域が変わったことを検知する方法や手順などは、公知であるので、詳細な説明を省略する。
【００５５】
また、シーン情報の取得のタイミングは、各種シーン情報ごとに予め決められていてもよい。例えば、シーン情報のうち、位置情報や、速度情報、時刻情報など、移動体の走行および時間の経過に応じて時々刻々と変化する情報については、定期的に取得すると決められていてもよい。また、例えば、シーン情報のうち、地域名称情報や、予報天気情報、降水確率情報など、予め決められた領域（地域など）ごとに異なる情報については、移動体が当該領域の境界を通過するたびに取得すると決められていてもよい。
【００５６】
また、シーン情報取得部１５の処理手順は、通常、ソフトウェアで実現され、当該ソフトウェアはＲＯＭ等の記録媒体に記録されている。
【００５７】
シーン識別子取得部１６は、シーン情報取得部１５が取得したシーン情報に対応する１以上のシーン識別子を、シーン管理情報格納部１１から取得する。当該「シーン情報に対応する１以上のシーン識別子」とは、通常、当該シーン情報が合致するシーン判別条件に対応するシーン識別子である。シーン識別子取得部１６は、通常、後述の各手段により、シーン識別子を取得する。
【００５８】
第一シーン識別子取得手段１６１は、シーン情報取得部１５が取得したシーン情報に対応する１以上のシーン識別子を取得する。第一シーン識別子取得手段１６１は、通常、シーン情報取得部１５が取得したシーン情報が、シーン管理情報格納部１１に格納されている１以上のシーン管理情報が有するシーン判別条件のいずれに合致するか否かを判断し、合致するシーン判別条件に対応するシーン識別子を、シーン管理情報格納部１１から取得する。
【００５９】
また、第一シーン識別子取得手段１６１は、例えば、シーン情報取得部１５が取得したシーン情報が、先に合致したシーン判別条件とは異なるシーン判別条件に合致する場合に、シーン識別子を取得してもよい。つまり、第一シーン識別子取得手段１６１は、当該シーン情報が同一のシーン判別条件に合致する間は、シーン識別子を取得しなくてもよい。
【００６０】
例えば、シーン情報取得部１５が道路種類情報「一般国道」を取得したとする。すると、第一シーン識別子取得手段１６１は、当該「一般国道」が合致するシーン判別条件に対応するシーン識別子を取得する。その後、シーン情報取得部１５が次のタイミングで再度道路種類情報「一般国道」を取得した場合、第一シーン識別子取得手段１６１は、当該「一般国道」が合致するシーン判別条件に対応するシーン識別子を取得しなくてもよい。また、その後、シーン情報取得部１５が異なる道路種類情報「高速自動車国道」を取得したとする。すると、第一シーン識別子取得手段１６１は、当該「高速自動車国道」が合致するシーン判別条件に対応するシーン識別子を取得する。
【００６１】
なお、以下、第一シーン識別子取得手段１６１が取得したシーン識別子を、第一シーン識別子とする。
【００６２】
判断手段１６２は、第一シーン識別子が２以上であるか否かを判断する。
【００６３】
優先度情報取得手段１６３は、判断手段１６２が、第一シーン識別子が２以上であると判断した場合に、当該２以上の第一シーン識別子に対応する優先度情報を、シーン管理情報格納部１１から取得する。
【００６４】
例えば、シーン管理情報格納部１１に格納されている優先度情報が、一のシーン管理情報と対応付いている場合、優先度情報取得手段１６３は、当該２以上の各第一シーン識別子を有する各シーン管理情報に対応する優先度情報を、シーン管理情報格納部１１から取得する。この場合、優先度情報取得手段１６３は、通常、２以上の優先度情報を取得する。
【００６５】
また、例えば、シーン管理情報格納部１１に格納されている優先度情報が、２以上のシーン識別子の組と対応付いている場合、優先度情報取得手段１６３は、当該２以上の第一シーン識別子の組に対応する優先度情報を、シーン管理情報格納部１１から取得する。この場合、優先度情報取得手段１６３は、１つの優先度情報を取得することが好適であるが、２以上の優先度情報を取得してもよい。この場合、優先度情報取得手段１６３は、例えば、２以上の第一シーン識別子の各組み合わせが有する第一シーン識別子の組に対応する優先度情報を取得する。
【００６６】
第二シーン識別子取得手段１６４は、２以上の第一シーン識別子から、１以上のシーン識別子を取得する。第二シーン識別子取得手段１６４は、通常、１つのシーン識別子を取得することが好適であるが、１以上のシーン識別子を取得してもよい。
【００６７】
例えば、優先度情報取得手段１６３が絶対的な優先度を示す２以上の優先度情報を取得した場合、第二シーン識別子取得手段１６４は、当該優先度情報のうち、予め決められた条件である優先度条件に合致する優先度情報に対応する１以上のシーン識別子を、２以上の第一シーン識別子から取得する。
【００６８】
優先度条件とは、優先度情報に関する条件であり、優先度情報を有する条件である。優先度条件は、例えば、（１）「優先度情報≧８０」や、（２）「優先度＜３０」、（３）「優先度＝高」などである。（１）は、優先度情報が８０以上であることを示す。また、（２）は、優先度情報が３０より小さいことを示す。また、（３）は、優先度情報が「高」であることを示す。つまり、当該優先度情報が示す優先度は、当該優先度条件を満たすか否かで決定されるものであり、優先度情報が示す数値などの大小により決定されるものではない。
【００６９】
例えば、優先度情報取得手段１６３が、「８０」、「６０」、「８５」の３つの優先度情報を取得したとする。また、優先度条件が「優先度≦７０」であるとする。この場合、第二シーン識別子取得手段１６４は、当該優先度条件に合致する優先度情報「６０」に対応するシーン識別子を、２以上の第一シーン識別子から取得する。また、優先度条件が「優先度≧８０」であるとする。この場合、第二シーン識別子取得手段１６４は、当該優先度条件を満たすほど高い優先度情報「８５」に対応するシーン識別子を、２以上の第一シーン識別子から取得する。
【００７０】
また、例えば、優先度情報取得手段１６３が、優先度情報「高」、「中」、「低」、「高」の４つの優先度情報を取得したとする。また、優先度条件が「優先度＝高」であるとする。この場合、第二シーン識別子取得手段１６４は、当該優先度条件に合致する「高」に対応する２つのシーン識別子を、２以上の第一シーン識別子から取得する。
【００７１】
なお、優先度条件は、通常、第二シーン識別子取得手段１６４が保持しているが、任意の記憶領域に格納されていてもよい。
【００７２】
また、例えば、優先度情報取得手段１６３が相対的な優先度を示す１以上の優先度情報を取得した場合、第二シーン識別子取得手段１６４は、当該優先度情報により示されるシーン識別子を取得する。例えば、優先度情報が、１以上のシーン識別子である場合、第二シーン識別子取得手段１６４は、当該シーン識別子と同一のシーン識別子を、２以上の第一シーン識別子から取得する。なお、この場合、当該優先度情報を取得してもよい。また、例えば、優先度情報が、２以上のシーン識別子間の優先度を示す１以上の記号や文字などである場合、第二シーン識別子取得手段１６４は、当該記号や文字により最優先であることが示されるシーン識別子を、２以上の第一シーン識別子から取得する。また、優先度情報が、シーン識別子や、上記記号や文字などを有する１以上の式である場合、第二シーン識別子取得手段１６４は、当該１以上の式により最優先であることが示されるシーン識別子を、２以上の第一シーン識別子から取得する。
【００７３】
例えば、優先度情報取得手段１６３が、優先度情報「シーンＡ」を取得したとする。また、当該優先度情報が、「シーンＡ」、「シーンＣ」、「シーンＤ」の３つのシーン識別子と対応付いているとする。この場合、第二シーン識別子取得手段１６４は、当該優先度情報「シーンＡ」と同一のシーン識別子「シーンＡ」を取得する。また、この場合、第二シーン識別子取得手段１６４は、優先度情報「シーンＡ」を取得してもよい。
【００７４】
また、例えば、優先度情報取得手段１６３が、優先度情報「○」を取得したとする。また、当該優先度情報が、「シーンＡ」、「シーンＢ」、「シーンＣ」の３つのシーン識別子の組と対応付いており、「シーンＢ」が最優先であることを示しているとする。この場合、第二シーン識別子取得手段１６４は、当該優先度情報「○」により最優先であることが示されるシーン識別子「シーンＢ」を取得する。
【００７５】
また、例えば、優先度情報取得手段１６３が、優先度情報「シーンＡ＞シーンＢ」を取得したとする。この場合、第二シーン識別子取得手段１６４は、当該優先度情報「シーンＡ＞シーンＢ」により最優先であることが示されるシーン識別子「シーンＡ」を取得する。
【００７６】
また、例えば、優先度情報取得手段１６３が、優先度情報「シーンＡ＞シーンＢ」、「シーンＣ＞シーンＡ」を取得したとする。この場合、第二シーン識別子取得手段１６４は、当該２つの優先度情報により最優先であることが示されるシーン識別子「シーンＣ」を取得する。
【００７７】
以上より、シーン情報取得部１５が取得したシーン情報に対応するシーン識別子が１つである場合は、第一シーン識別子取得手段１６１が取得した１つのシーン情報が、シーン識別子取得部１６が取得したシーン識別子となる。また、シーン情報取得部１５が取得したシーン情報に対応するシーン識別子が２以上である場合は、第二シーン識別子取得手段１６４が取得した１以上のシーン識別子が、シーン識別子取得部１６が取得したシーン識別子となる。
【００７８】
また、シーン識別子取得部１６が取得したシーン識別子が２以上である場合、例えば、当該２以上のシーン識別子がユーザに提示され、ユーザがどちらのシーン識別子を使用するのかを選択するなどして、最終的に１つのシーン識別子に決定されてもよい。
【００７９】
カテゴリ識別子取得部１７は、シーン識別子取得部１６が取得したシーン識別子に対応するカテゴリ識別子を、カテゴリ管理情報格納部１２から取得する。例えば、シーン識別子取得部１６が取得したシーン識別子が「トンネル」であり、カテゴリ管理情報格納部１２に格納されているカテゴリ管理情報がシーン識別子「トンネル」とカテゴリ識別子「Ｊポップ」とを対応付けて有している場合、カテゴリ識別子取得部１７は、当該カテゴリ管理情報が有するカテゴリ識別子「Ｊポップ」を取得する。
【００８０】
属性変更情報取得部１８は、シーン識別子取得部１６が取得したシーン識別子に対応する属性変更情報を、属性変更情報格納部から取得する。当該属性変更情報の取得の方法や手順などは、カテゴリ識別子取得部１７によるカテゴリ識別子の取得の方法や手順などと同様であるので、説明を省略する。
【００８１】
楽曲データ取得部１９は、楽曲データ格納部１４から楽曲データを取得する。例えば、シーン識別子取得部１６がシーン識別子を取得した場合、楽曲データ取得部１９は、当該シーン識別子に対応する楽曲データを、楽曲データ格納部１４から取得する。また、例えば、カテゴリ識別子取得部１７がカテゴリ識別子を取得した場合、楽曲データ取得部１９は、当該カテゴリ識別子に対応する楽曲データを、楽曲データ格納部１４から取得する。また、例えば、楽曲データ取得部１９は、楽曲データ格納部１４に格納されている１以上の楽曲データのいずれかを取得してもよい。この場合における取得の方法は、問わない。例えば、ランダムに取得してもよいし、当該楽曲データが有する楽曲データ識別子の昇順、または降順に取得してもよい。
【００８２】
また、例えば、楽曲データ格納部１４に格納されている楽曲データが有する情報や、対応付いている情報に応じて、楽曲データを取得してもよい。例えば、楽曲データ格納部１４に格納されている楽曲データが楽曲データ識別子のみを有する場合、楽曲データ取得部１９は、当該１以上の楽曲データのいずれかを取得する。また、例えば、楽曲データ格納部１４に格納されている楽曲データにシーン識別子が対応付いている場合、楽曲データ取得部１９は、シーン識別子取得部１６が取得したシーン識別子に対応する楽曲データを取得する。また、楽曲データ格納部１４に格納されている楽曲データにカテゴリ識別子が対応付いている場合、楽曲データ取得部１９は、カテゴリ識別子取得部１７が取得したカテゴリ識別子に対応する楽曲データを取得する。
【００８３】
楽曲データ再生部２０は、楽曲データ取得部１９が取得した楽曲データを再生する。また、楽曲データ再生部２０は、再生中の楽曲データの再生時の属性を、属性変更情報取得部１８が取得した属性変更情報に従い変更する。なお、楽曲データの再生や、楽曲データの再生時の属性の変更の方法や手順などは、公知であるので、詳細な説明を省略する。また、当該楽曲データの再生は、楽曲データの出力と同義であってもよい。出力とは、通常、スピーカーへ出力することである。
【００８４】
例えば、楽曲データ取得部１９が、楽曲データ識別子「ｍｕｓｉｃ．ｍｐ３」で識別される楽曲データを取得した場合、楽曲データ再生部２０は、当該楽曲データを再生する。また、例えば、当該楽曲データの再生中に、属性変更情報取得部１８が、属性変更情報「音量＋２」を取得した場合、楽曲データ再生部２０は、音量を２上げる。
【００８５】
楽曲データ再生部２０は、スピーカーなどの出力デバイスを含むと考えてもよいし、含まないと考えてもよい。楽曲データ再生部２０は、出力デバイスのドライバーソフトまたは、出力デバイスのドライバーソフトと出力デバイスなどで実現され得る。
【００８６】
なお、シーン管理情報格納部１１、カテゴリ管理情報格納部１２、属性変更管理情報格納部１３、楽曲データ格納部１４は、不揮発性の記録媒体が好適であるが、揮発性の記録媒体でも実現可能である。
【００８７】
また。シーン識別子取得部１６、カテゴリ識別子取得部１７、属性変更情報取得部１８、楽曲データ取得部１９は、通常、ＭＰＵやメモリ等から実現され得る。第一シーン識別子取得手段１６１の処理手順は、通常、ソフトウェアで実現され、当該ソフトウェアはＲＯＭ等の記録媒体に記録されている。但し、ハードウェア（専用回路）で実現してもよい。
【００８８】
次に、車載装置１の動作について説明する。なお、所定の情報におけるｉ番目の情報は、「情報［ｉ］」と記載するものとする。図２は、車載装置１の全体動作を示すフローチャートである。なお、図２のフローチャートにおいて、シーン管理情報格納部１１には、ｍ個のシーン管理情報が格納されているものとする。
【００８９】
（ステップＳ２０１）シーン情報取得部１５は、シーン情報を取得する。
【００９０】
（ステップＳ２０２）第一シーン識別子取得手段１６１は、カウンタｉに１をセットする。
【００９１】
（ステップＳ２０３）第一シーン識別子取得手段１６１は、変数ｃｏｕｎｔに０をセットする。
【００９２】
（ステップＳ２０４）第一シーン識別子取得手段１６１は、ステップＳ２０１で取得したシーン情報が、シーン管理情報［ｉ］が有するシーン判別条件に合致するか否かを判断する。合致する場合は、ステップＳ２０５に進み、そうでない場合は、ステップＳ２０７に進む。
【００９３】
（ステップＳ２０５）第一シーン識別子取得手段１６１は、変数ｃｏｕｎｔを１インクリメントする。
【００９４】
（ステップＳ２０６）第一シーン識別子取得手段１６１は、シーン識別子［ｃｏｕｎｔ］にシーン管理情報［ｉ］が有するシーン識別子をセットする。
【００９５】
（ステップＳ２０７）第一シーン識別子取得手段１６１は、ｉがｍであるか否かを判断する。ｍである場合は、ステップＳ２０９に進み、そうでない場合は、ステップＳ２０８に進む。
【００９６】
（ステップＳ２０８）第一シーン識別子取得手段１６１は、ｉを１インクリメントし、ステップＳ２０３に戻る。
【００９７】
（ステップＳ２０９）判断手段１６２は、ステップＳ２０６で取得したシーン識別子の数ｃｏｕｎｔが２以上であるか否かを判断する。２以上である場合は、ステップＳ２１０に進み、そうでない場合は、ステップＳ２１１に進む。
【００９８】
（ステップＳ２１０）第二シーン識別子取得手段１６４は、シーン識別子を取得する。この処理の詳細は、図３のフローチャートを用いて説明する。
【００９９】
（ステップＳ２１１）楽曲データ取得部１９は、楽曲データを取得するか否かを判断する。取得する場合は、ステップＳ２１２に進み、そうでない場合は、ステップＳ２１７に進む。
【０１００】
（ステップＳ２１２）カテゴリ識別子取得部１７は、カテゴリ識別子を取得するか否かを判断する。取得する場合は、ステップＳ２１３に進み、そうでない場合は、ステップＳ２１５に進む。
【０１０１】
（ステップＳ２１３）カテゴリ識別子取得部１７は、ステップＳ２１０で取得したシーン識別子に対応するカテゴリ識別子を、カテゴリ管理情報格納部１２から取得する。
【０１０２】
（ステップＳ２１４）楽曲データ取得部１９は、ステップＳ２１３で取得したカテゴリ識別子に対応する楽曲データを、楽曲データ格納部１４から取得する。
【０１０３】
（ステップＳ２１５）楽曲データ取得部１９は、ステップＳ２１０で取得したシーン識別子に対応する楽曲データを、楽曲データ格納部１４から取得する。
【０１０４】
（ステップＳ２１６）楽曲データ再生部２０は、ステップＳ２１４またはステップＳ２１５で取得した楽曲データを再生する。
【０１０５】
（ステップＳ２１７）属性変更情報取得部１８は、属性変更情報を取得するか否かを判断する。取得する場合は、ステップＳ２１８に進み、そうでない場合は、ステップＳ２０２に戻る。
【０１０６】
（ステップＳ２１８）属性変更情報取得部１８は、楽曲データ再生部２０が楽曲データの再生中であるか否かを判断する。再生中である場合は、ステップＳ２１９に進み、そうでない場合は、ステップＳ２０２に戻る。
【０１０７】
（ステップＳ２１９）属性変更情報取得部１８は、ステップＳ２１０で取得したシーン識別子に対応する属性変更情報を、属性変更管理情報格納部１３から取得する。
【０１０８】
（ステップＳ２２０）楽曲データ再生部２０は、ステップＳ２１９で取得した属性変更情報に従い、楽曲データの再生時の属性を変更する。
【０１０９】
なお、図２のフローチャートにおいて、電源オフや処理終了の割り込みにより処理を終了してもよい。
【０１１０】
図３は、図２のフローチャートのステップＳ２１０のシーン識別子の取得処理を示すフローチャートである。
【０１１１】
（ステップＳ３０１）優先度情報取得手段１６３は、シーン管理情報格納部１１に格納されているシーン管理情報が有するシーン識別子と、シーン判別条件と、優先度情報とが、１：１：１であるか否かを判断する。１：１：１である場合は、ステップＳ３０２に進み、そうでない場合は、ステップＳ３０７に進む。
【０１１２】
（ステップＳ３０２）優先度情報取得手段１６３は、ステップＳ２０６で取得した各シーン識別子に対応する優先度情報を、シーン管理情報格納部１１から取得する。
【０１１３】
（ステップＳ３０３）第二シーン識別子取得手段１６４は、カウンタｉに１をセットする。
【０１１４】
（ステップＳ３０４）第二シーン識別子取得手段１６４は、優先度情報［ｉ］が優先度条件に合致するか否かを判断する。合致する場合は、ステップＳ３０５に進み、そうでない場合は、ステップＳ３０６に進む。
【０１１５】
（ステップＳ３０５）第二シーン識別子取得手段１６４は、シーン識別子［ｉ］を取得する。
【０１１６】
（ステップＳ３０６）第二シーン識別子取得手段１６４は、ｉがｃｏｕｎｔであるか否かを判断する。ｃｏｕｎｔである場合は、上位処理にリターンし、そうでない場合は、ステップＳ３０７に進む。
【０１１７】
（ステップＳ３０７）第二シーン識別子取得手段１６４は、ｉを１インクリメントし、ステップＳ３０４に戻る。
【０１１８】
（ステップＳ３０８）第二シーン識別子取得手段１６４は、ｉに１をセットする。
【０１１９】
（ステップＳ３０９）第二シーン識別子取得手段１６４は、シーン管理情報［ｉ］がステップＳ２０６で取得したシーン識別子の組を有するか否かを判断する。有する場合は、ステップＳ３１０に進み、そうでない場合は、ステップＳ３１１に進む。
【０１２０】
（ステップＳ３１０）第二シーン識別子取得手段１６４は、シーン管理情報［ｉ］が有する優先度情報を取得する。
【０１２１】
（ステップＳ３１１）第二シーン識別子取得手段１６４は、ｉがｍであるか否かを判断する。ｍである場合は、ステップＳ３１３に進み、そうでない場合は、ステップＳ３１２に進む。
【０１２２】
（ステップＳ３１２）第二シーン識別子取得手段１６４は、ｉを１インクリメントし、ステップＳ３０４に戻る。
【０１２３】
（ステップＳ３１３）第二シーン識別子取得手段１６４は、ステップＳ３１０で取得した優先度情報が示すシーン識別子を、シーン管理情報格納部１１から取得する。そして、上位処理にリターンする。
【０１２４】
（具体例）
次に、車載装置１の動作の具体例について説明する。なお、本具体例において、車載装置１は、オーディオ装置と一体型のナビゲーション装置であり、自動車に搭載されているものとする。
【０１２５】
（例１）
本例において、シーン管理情報格納部１１には、図４に示すシーン管理情報と、優先度情報とが格納されているものとする。当該シーン管理情報は、レコードを一意に特定するためのＩＤ（項目名：ＩＤ）と、シーン識別子（項目名：シーン識別子）と、シーン開始条件（項目名：シーン開始条件）と、シーン終了条件（項目名：シーン終了条件）とを有し、各レコードに優先度情報（項目名：優先度情報）が対応付いている。また、楽曲データ格納部１４には、図５に示す楽曲データが格納されているものとする。当該楽曲データ（項目名：楽曲データ）は、レコードを一意に特定するためのＩＤ（項目名：ＩＤ）と、シーン識別子（項目名：シーン識別子）とが対応付いている。
【０１２６】
まず、自動車が高速道路を走行しており、１７時３０分に、トンネルの入口の手前に差し掛かったとする。すると、シーン情報取得部１５は、当該トンネルの入口までの距離を算出し、トンネル距離情報「２００ｍ」を取得したものとする。また、シーン情報取得部１５は、当該トンネル距離情報の取得と同時に、道路種類情報「高速道路」と、時刻情報「１７：３０」を取得したものとする。
【０１２７】
次に、第一シーン識別子取得手段１６１は、シーン情報取得部１５が取得した道路種類情報「高速道路」、時刻情報「１７：３０」、トンネル距離情報「２００ｍ」のそれぞれが合致するシーン開始条件に対応するシーン識別子を、図４のシーン管理情報から取得する。道路種類情報「高速道路」は、図４の「ＩＤ＝０１２」のシーン開始条件に合致する。また、時刻情報「１７：３０」は、図４の「ＩＤ＝０１４」のシーン開始条件に合致する。また、トンネル距離情報「２００ｍ」は、図４の「ＩＤ＝０１３」のシーン開始条件に合致する。よって、第一シーン識別子取得手段１６１は、図４の「ＩＤ＝０１２」から「ＩＤ＝０１４」までの３つのシーン識別子「高速道路」、「トンネル」、「夕方」を取得する。
【０１２８】
次に、判断手段１６２は、第一シーン識別子取得手段１６１が、２以上のシーン識別子を取得したと判断する。
【０１２９】
次に、優先度情報取得手段１６３は、第一シーン識別子取得手段１６１が取得した３つのシーン識別子「高速道路」、「トンネル」、「夕方」に対応する優先度情報を、図４のシーン管理情報から取得する。そして、優先度情報取得手段１６３は、図４の「ＩＤ＝０１２」から「ＩＤ＝０１４」までの３つの優先度情報「８０」、「７５」、「８５」を、３つのそれぞれのシーン識別子に対応付けて取得する。
【０１３０】
次に、第二シーン識別子取得手段１６４は、第一シーン識別子取得手段１６１が取得した３つのシーン識別子「高速道路」、「トンネル」、「夕方」から、優先度情報が優先度条件に合致するシーン識別子を取得する。ここで、優先度条件が「優先度≧８５」であるとする。すると、第二シーン識別子取得手段１６４は、優先度情報「８５」に対応するシーン識別子である「夕方」を取得する。
【０１３１】
次に、楽曲データ取得部１９は、シーン識別子取得部１６（第二シーン識別子取得手段１６４）が取得したシーン識別子「夕方」に対応する楽曲データである図５の「ＩＤ＝０１４」の楽曲データのうちのいずれか１つを取得する。ここで、楽曲データ取得部１９は、図５の「ＩＤ＝０１４」の楽曲データ「ｅｖｅｎｉｎｇ０１．ｍｐ３」を取得したものとする。そして、楽曲データ再生部２０は、楽曲データ取得部１９が取得した楽曲データ「ｅｖｅｎｉｎｇ０１．ｍｐ３」を再生する。
【０１３２】
（例２）
本例において、シーン管理情報格納部１１には、図６に示すシーン管理情報と、図７に示す優先度情報が格納されているものとする。当該シーン管理情報は、レコードを一意に特定するためのＩＤ（項目名：ＩＤ）と、シーン識別子（項目名：シーン識別子）と、シーン開始条件（項目名：シーン開始条件）と、シーン終了条件（項目名：シーン終了条件）とを有する。また、当該優先度情報（項目名：優先度情報）は、各レコードを一意に特定するためのＩＤ（項目名：ＩＤ）が対応付いている。また、カテゴリ管理情報格納部１２には、図８に示すカテゴリ管理情報が格納されているものとする。当該カテゴリ管理情報は、レコードを一意に特定するためのＩＤ（項目名：ＩＤ）と、シーン識別子（項目名：シーン識別子）と、カテゴリ識別子（項目名：カテゴリ識別子）とを有する。また、楽曲データ格納部１４には、図９に示す楽曲データが格納されているものとする。当該楽曲データ項目名：楽曲データ）は、レコードを一意に特定するためのＩＤ（項目名：ＩＤ）と、カテゴリ識別子（項目名：カテゴリ識別子）とが対応付いている。
【０１３３】
まず、例１と同様に自動車が走行しており、シーン情報取得部１５が、例１と同じシーン情報を取得したものとする。
【０１３４】
次に、第一シーン識別子取得手段１６１は、シーン情報取得部１５が取得した道路種類情報「高速道路」、時刻情報「１７：３０」、トンネル距離情報「２００ｍ」のそれぞれが合致するシーン開始条件に対応するシーン識別子を、図６のシーン管理情報から取得する。道路種類情報「高速道路」は、図６の「ＩＤ＝０１２」のシーン開始条件に合致する。また、時刻情報「１７：３０」は、図６の「ＩＤ＝０１４」のシーン開始条件に合致する。また、トンネル距離情報「２００ｍ」は、図６の「ＩＤ＝０１３」のシーン開始条件に合致する。よって、第一シーン識別子取得手段１６１は、図６の「ＩＤ＝０１２」から「ＩＤ＝０１４」までの３つのシーン識別子「高速道路」、「トンネル」、「夕方」を取得する。
【０１３５】
次に、判断手段１６２は、第一シーン識別子取得手段１６１が、２以上のシーン識別子を取得したと判断する。
【０１３６】
次に、優先度情報取得手段１６３は、第一シーン識別子取得手段１６１が取得した３つのシーン識別子「高速道路」、「トンネル」、「夕方」の組に対応付いている優先度情報を、図７の優先度情報から取得する。そして、優先度情報取得手段１６３は、図７の「ＩＤ＝０１３」の優先度情報「（高速道路，トンネル，夕方｜トンネル）」を取得する。
【０１３７】
次に、第二シーン識別子取得手段１６４は、優先度情報取得手段１６３が取得した優先度情報「（高速道路，トンネル，夕方｜トンネル）」により最優先であることが示されるシーン識別子「トンネル」を取得する。
【０１３８】
次に、カテゴリ識別子取得部１７は、シーン識別子取得部１６（第二シーン識別子取得手段１６４）が取得したシーン識別子「トンネル」に対応するカテゴリ識別子「ロック」を、図８のカテゴリ管理情報から取得する。
【０１３９】
次に、楽曲データ取得部１９は、カテゴリ識別子取得部１７が取得したカテゴリ識別子「ロック」に対応する楽曲データである図９の「ＩＤ＝０１３」の楽曲データのうちのいずれか１つを取得する。ここで、楽曲データ取得部１９は、図９の「ＩＤ＝０１３」の楽曲データ「ｒｏｃｋ０１．ｍｐ３」を取得したものとする。そして、楽曲データ再生部２０は、楽曲データ取得部１９が取得した楽曲データ「ｒｏｃｋ０１．ｍｐ３」を再生する。
【０１４０】
（例３）
本例において、属性変更管理情報格納部１３には、図１０に示す属性変更管理情報が格納されているものとする。当該シーン管理情報は、レコードを一意に特定するためのＩＤ（項目名：ＩＤ）と、シーン識別子（項目名：シーン識別子）と、変更方法情報（項目名：変更方法情報）とを有する。また、シーン管理情報格納部１１などには、例１に示したシーン管理情報などが格納されているものとする。
【０１４１】
まず、例１と同様に自動車が走行しており、例１と同様にシーン識別子取得部１６（第二シーン識別子取得手段１６４）が、シーン識別子「夕方」を取得したものとする。また、ここで、楽曲データ取得部１９は、楽曲データ格納部１４に格納されている楽曲データをランダムに取得し、楽曲データ再生部２０は、当該取得したデータを再生しているものとする。
【０１４２】
次に、属性変更情報取得部１８は、シーン識別子取得部１６（第二シーン識別子取得手段１６４）が取得したシーン識別子「夕方」に対応する属性変更情報「テンポ−１，音量−１」を取得する。当該属性変更情報は、テンポを１下げ、音量を１下げることを示す。そして、楽曲データ再生部２０は、再生中の楽曲データのテンポを１下げ、音量を１下げる。
【０１４３】
以上、本実施の形態による車載装置１によれば、検知した複数の走行シーンの中から、最優先される走行シーンを選択し、当該走行シーンに適合する楽曲を再生することができる。
【０１４４】
また、本実施の形態による車載装置１によれば、最優先される走行シーンに適合するカテゴリの楽曲を再生することができる。
【０１４５】
また、本実施の形態による車載装置１によれば、最優先される走行シーンに適合する変更方法に従い、楽曲の再生時の属性を変更することができる。
【０１４６】
また、以上により、ユーザは、走行シーンに適合する楽曲を聴き、ドライブを楽しむことができる。
【０１４７】
なお、本実施の形態において、車載装置１は、楽曲データの再生を開始すること、または楽曲データの再生時の属性を変更することを指示する制御部を備えていてもよい。当該制御部は、楽曲データ取得部１９が楽曲データを取得した場合に、当該楽曲データの再生を開始することを、楽曲データ再生部２０に指示する。また、当該制御部は、属性変更情報取得部１８が属性情報を取得した場合に、当該属性情報に従い楽曲データの再生時の属性を変更することを、楽曲データ再生部２０に指示する。
【０１４８】
また、この場合、楽曲データ再生部２０は、制御部からの指示に従い、楽曲データを再生する。また、この場合、楽曲データ再生部２０は、制御部からの指示に従い、楽曲データの再生時の属性を変更する。
【０１４９】
また、本実施の形態において、カテゴリ管理情報格納部１２、属性変更管理情報格納部１３、カテゴリ識別子取得部１７、属性変更情報取得部１８は、必須の構成要素ではない。例えば、カテゴリ管理情報格納部１２を備えてない場合、車載装置１は、通常、カテゴリ識別子取得部１７も備えない。また、属性変更管理情報格納部１３を備えない場合、車載装置１は、通常、属性変更情報取得部１８を備えない。
【０１５０】
また、カテゴリ管理情報格納部１２を備える場合、車載装置１は、通常、カテゴリ識別子取得部１７を備える。この場合、楽曲データ取得部１９は、通常、カテゴリ識別子取得部１７が取得したカテゴリ識別子に対応する楽曲データを、楽曲データ格納部１４から取得する。
【０１５１】
また、属性変更管理情報格納部１３を備える場合、車載装置１は、通常、属性変更情報取得部１８を備える。この場合、楽曲データ取得部１９は、通常、楽曲データ格納部１４に格納されている１以上の楽曲データのいずれかを取得する。また、楽曲データ再生部２０は、属性変更情報取得部１８が取得した属性変更情報に従い、楽曲データの再生時の属性を変更する。
【０１５２】
また、複数のシーン識別子を取得した場合に、優先されるシーン識別子を取得し、当該シーン識別子に対応する楽曲データを再生する車載装置２のブロック図は、例えば、図１１である。図１１では、車載装置２は、シーン管理情報格納部１１、楽曲データ格納部１４、シーン情報取得部１５、シーン識別子取得部１６、楽曲データ取得部１９、楽曲データ再生部２０を備える。
【０１５３】
また、複数のシーン識別子を取得した場合に、優先されるシーン識別子を取得し、当該シーン識別子に対応する属性変更情報に従い楽曲データの再生時の属性を変更する車載装置３のブロック図は、例えば、図１２である。図１２では、車載装置３は、シーン管理情報格納部１１、属性変更管理情報格納部１３、楽曲データ格納部１４、シーン情報取得部１５、シーン識別子取得部１６、属性変更情報取得部１８、楽曲データ取得部１９、楽曲データ再生部２０を備える。
【０１５４】
また、上記各実施の形態において、一の装置に存在する２以上の通信手段は、物理的に一の媒体で実現されてもよいことは言うまでもない。
【０１５５】
また、上記各実施の形態における車載装置は、例えば、スタンドアロンの装置であってもよいし、サーバ・クライアントシステムにおけるサーバ装置であってもよい。後者の場合には、例えば、ＡＳＰ（Ａｐｐｌｉｃａｔｉｏｎ  Ｓｅｒｖｉｃｅ  Ｐｒｏｖｉｄｅｒ）として最優先されるシーンの選択が行われてもよい。
【０１５６】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０１５７】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１５８】
また、上記各実施の形態における車載装置を実現するソフトウェアは、以下のようなプログラムである。つまり、このプログラムは、記録媒体に、移動体の走行シーンを識別するためのシーン識別子と、当該移動体の走行シーンを判別するための条件であるシーン判別条件とを対応付けて有する２以上のシーン管理情報と、当該移動体の走行シーンの優先度を示す優先度情報と、シーン識別子が対応付けられた１以上の楽曲データが格納されており、コンピュータを、移動体の走行シーンを示すシーン情報を取得するシーン情報取得部と、前記シーン情報取得部が取得したシーン情報に対応する１以上のシーン識別子を、前記記録媒体から取得するシーン識別子取得部と、前記シーン識別子取得部が取得したシーン識別子に対応する楽曲データを、前記記録媒体から取得する楽曲データ取得部と、前記楽曲データ取得部が取得した楽曲データを再生する楽曲データ再生部として動作させるためのプログラムであって、前記シーン識別子取得部を、前記シーン情報取得部が取得したシーン情報が合致するシーン判別条件に対応する１以上のシーン識別子を、前記記録媒体から取得する第一シーン識別子取得手段と、前記第一シーン識別子取得手段が取得したシーン識別子が２以上であるか否かを判断する判断手段と、前記判断手段が、前記第一シーン識別子取得手段が取得したシーン識別子が２以上であると判断した場合に、当該２以上の各シーン識別子に対応する優先度情報を前記記録媒体から取得する優先度情報取得手段と、前記優先度情報取得手段が取得した２以上の優先度情報のうちの予め決められた条件に合致する優先度情報に対応する１以上のシーン識別子を、前記第一シーン識別子取得手段が取得した２以上のシーン識別子から取得する第二シーン識別子取得手段として動作させるためのプログラムであって、前記楽曲データ取得部は、前記第一シーン識別子取得手段が２以上のシーン識別子を取得した場合は、前記第二シーン識別子取得手段が取得したシーン識別子に対応する楽曲データを、前記記録媒体から取得し、前記第一シーン識別子取得手段が１つのシーン識別子を取得した場合は、当該シーン識別子に対応する楽曲データを、前記記録媒体から取得するプログラムである。
【０１５９】
なお、上記プログラムにおいて、ハードウェアでしか行われない処理は少なくとも含まれない。
【０１６０】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１６１】
また、上記プログラムを実行するコンピュータは、単数であってもよいし、複数であってもよい。つまり、集中処理を行ってもよいし、あるいは分散処理を行ってもよい。
【０１６２】
また、図１３は、前述のプログラムを実行して、前述の実施の形態の車載装置等を実現するコンピュータシステム９の概観図である。前述の実施の形態は、コンピュータハードウェア及びその上で実行されるコンピュータプログラムで実現され得る。
【０１６３】
図１３において、コンピュータシステム９は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０１１、ＦＤ（Ｆｌｅｘｉｂｌｅ  Ｄｉｓｋ）ドライブ９０１２を含むコンピュータ９０１と、キーボード９０２と、マウス９０３と、モニタ９０４とを備える。
【０１６４】
図１４は、コンピュータシステム９のブロック図である。図１４において、コンピュータ９０１は、ＣＤ−ＲＯＭドライブ９０１１、ＦＤドライブ９０１２に加えて、ＣＰＵ（Ｃｅｎｔｒａｌ  Ｐｒｏｃｅｓｓｉｎｇ  Ｕｎｉｔ）９０１３と、ブートアッププログラム等のプログラムを記憶するためのＲＯＭ（Ｒｅａｄ−Ｏｎｌｙ  Ｍｅｍｏｒｙ）９０１４と、ＣＰＵ９０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）９０１５と、アプリケーションプログラム、システムプログラム、及びデータを記憶するためのハードディスク９０１６と、ＣＤ−ＲＯＭドライブ９０１１、ＦＤドライブ９０１２、ＣＰＵ９０１３等を相互に接続するバス９０１７とを備える。ここでは図示しないが、コンピュータ９０１は、さらに、ＬＡＮへの接続を提供するネットワークカードを備えていてもよい。
【０１６５】
コンピュータシステム９に、前述の実施の形態の車載装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０１６６】
プログラムは、コンピュータ９０１に、前述の実施の形態の車載装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１６７】
本発明は、以上の実施の形態に限定されることなく、種々の変更が可能であり、それらも本発明の範囲内に包含されるものであることは言うまでもない。
【産業上の利用可能性】
【０１６８】
以上のように、本発明にかかる車載装置は、検知した複数の走行シーンの中から、最優先される走行シーンを選択し、当該走行シーンに適合する楽曲を再生することができるという効果を有し、オーディオ装置と一体型のナビゲーション装置等として有用である。
【符号の説明】
【０１６９】
１  車載装置
１１  シーン管理情報格納部
１２  カテゴリ管理情報格納部
１３  属性変更管理情報格納部
１４  楽曲データ格納部
１５  シーン情報取得部
１６  シーン識別子取得部
１７  カテゴリ識別子取得部
１８  属性変更情報取得部
１９  楽曲データ取得部
２０  楽曲データ再生部
１６１  第一シーン識別子取得手段
１６２  判断手段
１６３  優先度情報取得手段
１６４  第二シーン識別子取得手段
【図１】
0005851226.tif 000002
【図２】
0005851226.tif 000003
【図３】
0005851226.tif 000004
【図４】
0005851226.tif 000005
【図５】
0005851226.tif 000006
【図６】
0005851226.tif 000007
【図７】
0005851226.tif 000008
【図８】
0005851226.tif 000009
【図９】
0005851226.tif 000010
【図１０】
0005851226.tif 000011
【図１１】
0005851226.tif 000012
【図１２】
0005851226.tif 000013
【図１３】
0005851226.tif 000014
【図１４】
0005851226.tif 000015